【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
受動光ネットワークＰＯＮシステムに、光ライン・ターミナルＯＬＴ、及び少なくとも１個の光ネットワーク・ユニットＯＮＵを含む一種の受動光ネットワーク・システムで記憶機能を実現する方法であって、
少なくとも、前記ＯＬＴから光ネットワーク・ユニットへ送信されたデータの中から記憶が必要なデータを決めるデータ決定ステップ、及び
前記記憶が必要なデータを前記光ネットワーク・ユニットに設置された記憶装置に記憶する記憶ステップを含み、
前記ＯＮＵに接続された端末がデータに対するリクエストを発送したか否かを判断し、該データに対するリクエストが送られていない場合は前記記憶装置に記憶し、該データに対するリクエストが端末から送信されている場合は該データを前記記憶装置に記憶せず前記端末へ送信することを特徴とする、一種の受動光ネットワーク・システムで記憶機能を実現する方法。
【請求項２】
前記データ決定ステップ中には、更にＭＬＤ／ＩＧＭＰ聴取者管理ステップが含まれ、前記ＩＤフィルター・ステップで選ばれたデータがグループ放送のＬＩＮＫ  ＩＤを有する場合、当面の光ネットワーク・ユニットが前記データのグループ放送のグループに属するか否かを判断し、又前記コントロール・ステップ中には、前記グループ放送のグループに属さず且つ前記データが記憶必要なデータである場合、このデータを前記記憶装置に記憶させ、そして前記グループ放送のグループに属し且つ前記データが記憶必要、或いは前記ＩＤフィルター・ステップで選ばれたデータが単１放送のＬＩＮＫ  ＩＤを有する記憶必要データであれば、前記ユーザー・リクエスト・リストの検査を通して、接続した当面の光ネットワーク・ユニットのユーザーがこのデータに対するリクエストを発送したか否かを判断し、該データに対するリクエストがまだ送られていない場合はこのデータを記憶し、該データに対するリクエストが送られたらこのデータは記憶せず直接前記ユーザーへ送り、且つ前記ユーザーのリクエスト・リストを更新し、前記記憶装置にデータが記憶された場合は、前記データ記憶リストを更新することを特徴とする請求項１に記載の受動光ネットワーク・システムで記憶機能を実現する方法。
【請求項３】
前記グループ放送のＬＩＮＫ  ＩＤ分配ステップに更に視聴データ決定ステップを含み、データに基づくＩＰアドレス及び／或いはポート・ナンバーが視聴データで有るか否かを判断し、記憶必要なデータを決めることを特徴とする請求項１乃至２のいずれか１項に記載の受動光ネットワーク・システムで記憶機能を実現する方法。
【請求項４】
一種の受動光ネットワーク・システム中の光ネットワーク・ユニットであって、
前記受動光ネットワークＰＯＮシステムに、光ライン・ターミナルＯＬＴ、及び少なくとも１個の光ネットワーク・ユニットＯＮＵを含み、前記光ネットワーク・ユニット中の少なくとも１個の光ネットワーク・ユニットは、前記ＯＬＴから光ネットワーク・ユニットへ送信されたデータの中から記憶が必要なデータを決めるデータ決定ユニット、及び前記データ決定ユニットで決められた記憶が必要なデータを記憶させる記憶装置を含み、
前記ＯＮＵに接続された端末がデータに対するリクエストを発送したか否かを判断し、該データに対するリクエストが送られていない場合は前記記憶装置に記憶し、該データに対するリクエストが端末から送信されている場合は該データを前記記憶装置に記憶せず前記端末へ送信することを特徴とする、一種の受動光ネットワーク・システム中の光ネットワーク・ユニット。
【請求項５】
前記記憶必要なデータは視聴データを含み、データのＩＰアドレス及び／或いはポート・ナンバーに基づいて視聴データで有るか否かを判断して決めることを特徴とする、請求項４に記載の前記受動光ネットワーク・システム中の光ネットワーク・ユニット。
【請求項６】
前記データ決定ユニットは、転送して来た全てのデータ中に、データの持つＬＩＮＫ  ＩＤに基づいて当面光ネットワーク・ユニットの受け取れるデータを選択するＩＤフィルター・モジュール、及び前記ＩＤフィルター・モジュールで選ばれたデータが記憶必要と決められた場合、該データを前記記憶装置に記憶し、当面光ネットワーク・ユニットに接続されたユーザーが既に前記記憶装置に記憶されたデータをリクエストした場合、記憶したデータを前記ユーザーに送るコントロール・モジュールを含むことを特徴とする請求項４に記載の前記受動光ネットワーク・システム中の光ネットワーク・ユニット。
【請求項７】
コントロール・モジュールは、ユーザー・リクエスト・リストとデータ記憶リストを含み、前記ユーザー・リクエスト・リストにはユーザーのリクエスト情報が記憶され、データ記憶リストには記憶装置に記憶されたデータ情報が保存され、前記データ記憶リストの検査を通してユーザーのリクエストされたデータが既に記憶装置に記憶されているか否かを決めることを特徴とする請求項６に記載の前記受動光ネットワーク・システム中の光ネットワーク・ユニット。
【請求項８】
前記データ決定ユニットには更にＭＬＤ／ＩＧＭＰ聴取者管理モジュールが含まれ、前記ＩＤフィルター・モジュールで選ばれたデータがグループ放送のＬＩＮＫ  ＩＤを有する場合、当面の光ネットワーク・ユニットが前記データのグループ放送のグループに属するか否かを判断し、前記グループ放送のグループに属しない場合且つ前記データが記憶必要の際は、データを記憶装置に記憶し、又前記グループ放送のグループに属し且つ前記データが記憶必要なデータである場合、或いは前記ＩＤフィルター・モジュールで選ばれたデータが単１放送のＬＩＮＫ  ＩＤを有する記憶必要のデータであれば、前記ユーザー・リクエスト・リストの検査を通して、接続した当面の光ネットワーク・ユニットのユーザーがこのデータに対するリクエストを送ったか否かを判断し、該データに対するリクエストがまだ送られていない場合はこのデータを記憶し、該データに対するリクエストが送られたらこのデータは記憶せず直接前記ユーザーへ送り、且つ前記ユーザー・リクエスト・リストを更新し、前記記憶装置に記憶された場合は、前記データ記憶リストを更新することを特徴とする請求項７に記載の前記受動光ネットワーク・システム中の光ネットワーク。
【請求項９】
更に権利鑑定モジュールが含まれ、これを以ってユーザーが合法であるか否かを判断し、ユーザーが非合法であると判断された場合は、当面の光ネットワーク・システムへのこのユーザーの接続を禁止することを特徴とする請求項８に記載の前記受動光ネットワーク・システム中の光ネットワーク・ユニット。
【請求項１０】
一種の受動光ネットワーク・システムであって、その中の前記受動光ネットワークＰＯＮシステムに，光ライン・ターミナルＯＬＴ、及び少なくとも１個の光ネットワーク・ユニットＯＮＵ等が含まれ、前記光ライン・ターミナルには記憶必要のデータにグループ放送のＬＩＮＫ  ＩＤを分配するグループ放送ＬＩＮＫ  ＩＤ分配モジュールがあり、且つ放送方式で全ての光ネットワーク・ユニットに前記記憶必要のデータを送る、前記光ネットワーク・ユニット中の少なくとも１個の光ネットワーク・ユニットには、前記ＯＬＴから光ネットワーク・ユニットへ送信されたデータの中から記憶が必要なデータを決めるデータ決定ユニット、及び前記データ決定ユニットから決められた記憶が必要なデータを記憶する記憶装置を含み、
前記ＯＮＵに接続された端末がデータに対するリクエストを発送したか否かを判断し、該データに対するリクエストが送られていない場合は前記記憶装置に記憶し、該データに対するリクエストが端末から送信されている場合は該データを前記記憶装置に記憶せず前記端末へ送信することを特徴とする、一種の受動光ネットワーク・システム。
【請求項１１】
前記記憶必要のデータには視聴データが含まれ、前記光ライン・ターミナルには更に視聴データ決定モジュールが含まれ、これを以ってデータに基づいたＩＰアドレス及び／或いはポート・ナンバーからこのデータが視聴データで有るか否かを判断することを特徴とする請求項１０に記載の前記受動光ネットワーク・システム。